(57)【要約】      （修正有）【課題】脳波及び血中酸素飽和度を用いて生体の状態を測定可能な生体信号測定装置及びプログラムを提供する。【解決手段】血中酸素飽和度と脳波とを測定する生体信号測定装置１であって、経時的に得られた生体１００の脳波を取得する脳波取得部と、経時的に得られた生体１００の血中酸素飽和度を取得する飽和度取得部と、取得された脳波と取得された血中酸素飽和度とを時間的にリンクさせて紐づける生体情報管理部と、を備える。生体信号測定装置１は、血中酸素飽和度が所定の状態を示した時間を特定する時間特定部と、特定された時間に関連する予め定められた期間に取得された脳波を特定する脳波特定部と、をさらに備えるのが好ましい。【選択図】図１
2018164725.tif 000002
【特許請求の範囲】
【請求項１】
血中酸素飽和度と脳波とを測定する生体信号測定装置であって、
経時的に得られた生体の脳波を取得する脳波取得部と、
経時的に得られた前記生体の血中酸素飽和度を取得する飽和度取得部と、
取得された脳波と取得された血中酸素飽和度とを時間的にリンクさせて紐づける生体情報管理部と、
を備える生体信号測定装置。
【請求項２】
血中酸素飽和度が所定の状態を示した時間を特定する時間特定部と、
特定された時間に関連する予め定められた期間に取得された脳波を特定する脳波特定部と、
をさらに備える請求項１に記載の生体信号測定装置。
を備える生体信号測定装置。
【請求項３】
前記時間特定部は、
血中酸素飽和度が所定のしきい値よりも低下した値を示した状態を検出する検出部と、
血中酸素飽和度が所定のしきい値よりも低下した値を示したことが検出された時間を取得する時間取得部と、
を備える請求項２に記載の生体信号測定装置。
【請求項４】
特定された脳波の状況から前記生体の状態を測定する測定部をさらに備える請求項１から３のいずれかに記載の生体信号測定装置。
【請求項５】
血中酸素飽和度と脳波とを測定する生体信号測定装置としてコンピュータを機能させるプログラムであって、
前記コンピュータを、
経時的に得られた生体の脳波を取得する脳波取得部、
経時的に得られた前記生体の血中酸素飽和度を取得する飽和度取得部、
取得された脳波と取得された血中酸素飽和度とを時間的にリンクさせて紐づける生体情報管理部、
として機能させるプログラム。
【発明の詳細な説明】
【技術分野】
【０００１】
本発明は、生体信号測定装置及びプログラムに関する。
【背景技術】
【０００２】
従来より、生体（人体）の脳波や、血中酸素飽和度を電気信号として取得して、生体の状態を測定することが行われている。脳波や、血中酸素飽和度を取得する装置として、額に貼り付けることにより取得可能な装置が提案されている（例えば、特許文献１参照）。
【先行技術文献】
【特許文献】
【０００３】
【特許文献１】米国特許公開第２０１６／００１５２８１号公報
【発明の概要】
【発明が解決しようとする課題】
【０００４】
特許文献１には、脳波及び血中酸素飽和度を１つの生体センサで取得することが記載されている。しかしながら、脳波及び血中酸素飽和度が実際にどのように測定されるのかまで具体化されてはいなかった。
【０００５】
本発明は、脳波及び血中酸素飽和度を用いて生体の状態を測定可能な生体信号測定装置及びプログラムを提供することを目的とする。
【課題を解決するための手段】
【０００６】
本発明は、血中酸素飽和度と脳波とを測定する生体信号測定装置であって、経時的に得られた生体の脳波を取得する脳波取得部と、経時的に得られた前記生体の血中酸素飽和度を取得する飽和度取得部と、取得された脳波と取得された血中酸素飽和度とを時間的にリンクさせて紐づける生体情報管理部と、を備える生体信号測定装置に関する。
【０００７】
また、生体信号測定装置は、血中酸素飽和度が所定の状態を示した時間を特定する時間特定部と、特定された時間に関連する予め定められた期間に取得された脳波を特定する脳波特定部と、をさらに備えるのが好ましい。
【０００８】
また、前記時間特定部は、血中酸素飽和度のある因子（例えば、血中酸素飽和度、単位時間あたりの血中酸素飽和度の変化量、所定の血中酸素飽和度を低下した回数）が所定のしきい値よりも低下した値を示した状態を検出する検出部と、血中酸素飽和度が所定のしきい値よりも低下した値を示したことが検出された時間を取得する時間取得部と、を備えるのが好ましい。
【０００９】
また、生体信号測定装置は、特定された脳波の状況から前記生体の状態を測定する測定部をさらに備えるのが好ましい。
【００１０】
また、本発明は、血中酸素飽和度と脳波とを測定する生体信号測定装置としてコンピュータを機能させるプログラムであって、前記コンピュータを、経時的に得られた生体の脳波を取得する脳波取得部、経時的に得られた前記生体の血中酸素飽和度を取得する飽和度取得部、取得された脳波と取得された血中酸素飽和度とを時間的にリンクさせて紐づける生体情報管理部、として機能させるプログラムに関する。
【発明の効果】
【００１１】
本発明によれば、脳波及び血中酸素飽和度を用いて生体の状態を測定可能な生体信号測定装置及びプログラムを提供することができる。
【図面の簡単な説明】
【００１２】
【図１】本発明の各実施形態に係る生体信号測定装置を用いて脳波及び血中酸素飽和度を測定するシステムの全体構成図である。
【図２】第１実施形態の生体信号測定装置の構成を示すブロック図である。
【図３】第１実施形態の生体信号測定装置を用いた解析の流れを示すフローチャートである。
【図４】覚醒している生体から取得された脳波の波形の一例を示すグラフである。
【図５】睡眠中の生体から取得された脳波の波形の一例を示すグラフである。
【図６】生体から取得された血中酸素飽和度の一例を示すグラフである。
【図７】第２実施形態の生体信号測定装置の構成を示すブロック図である。
【図８】第３実施形態の生体信号測定装置の構成を示すブロック図である。
【図９】第３実施形態の生体信号測定装置を用いた測定の流れを示すフローチャートである。
【図１０】変形例１の電極シートを示す平面図である。
【図１１】図１０のＡ−Ａ線断面図である。
【図１２】変形例１の電極シートの発光部を示す概略斜視図である。
【図１３】変形例１の電極シートを生体に使用する際の概略斜視図である。
【図１４】変形例２の電極シートの発光部を示す概略斜視図である。
【図１５】変形例３の電極シートを示す平．面図である。
【図１６】変形例４の電極シートの光信号取得部を形成する一過程を示す概略断面図である。
【図１７】変形例４の電極シートの光信号取得部を形成する一過程を示す概略断面図である。
【図１８】変形例４の電極シートの光信号取得部を形成する一過程を示す概略断面図である。
【図１９】変形例４の電極シートを形成する一過程を示す概略断面図である。
【図２０】変形例４の電極シートを形成する一過程を示す概略断面図である。
【図２１】変形例４の電極シートを形成する一過程を示す概略断面図である。
【図２２】変形例４の電極シートを形成する一過程を示す概略断面図である。
【図２３】変形例４の電極シートを形成する一過程を示す概略断面図である。
【図２４】変形例５の電極シートを形成する一過程を示す概略断面図である。
【図２５】変形例５の電極シートを形成する一過程を示す概略断面図である。
【図２６】変形例５態の電極シートを形成する一過程を示す概略断面図である。
【図２７】発光部及び受光部の他の配置を示す概略平面図である。
【図２８】生体信号を解析する他の流れを示すフローチャートである。
【発明を実施するための形態】
【００１３】
以下、本発明に係る生体信号測定装置及びプログラムの各実施形態について、図１〜図９を参照して説明する。
各実施形態に係る生体信号測定装置１及びプログラムは、生体の疾患を検証する装置及びプログラムである。本実施形態では、生体信号測定装置１及びプログラムについて、睡眠時無呼吸症候群を検証する装置及びプログラムを一例として説明する。各実施形態に係る生体信号測定装置１及びプログラムは、後述する一体型の電極シート２００と共に用いられる。
【００１４】
睡眠時無呼吸症候群とは、睡眠時に生体１００（人体）の呼吸が停止する疾患であり、覚醒時に居眠りや集中力の低下を引き起こす要因となることが知られている。そして、睡眠時無呼吸症候群に罹患している患者は、睡眠時に呼吸が停止することにより、血中酸素飽和度が低下することが知られている。睡眠時無呼吸症候群となる要因としていくつかの種類があり、脳波を併せて測定することにより、要因（疾患名）の可能性まで測定できれば有用である。睡眠時無呼吸症候群に羅漢しているか否かは、例えば、睡眠中の単位時間あたり（１時間あたり）に血中酸素飽和度が低下する回数を計数することにより、その可能性が検証される。
【００１５】
次に、各実施形態において用いられる電極シート２００について説明する。電極シート２００は、睡眠時における生体１００の脳波及び血中酸素飽和度を計測する。電極シート２００は、図１に示すように、生体１００（人体）の額に取り付けられて用いられる。電極シート２００には、生体１００の脳波に基づく電気信号（以下、単に「脳波」とする）を得る（取得する）電極２２０と、血中酸素飽和度（ＳＰＯ２）に基づく光信号（以下、単に「血中酸素飽和度」とする）を得る（取得する）光学素子２３０とが形成されている。また、電極シート２００は、電極２２０によって得られた脳波と、光学素子２３０によって得られた血中酸素飽和度とを無線で通信可能な通信部（図示せず）を備える。
【００１６】
なお、本実施形態において、「脳波を得る」、「血中酸素飽和度を得る」とは、脳波や血中酸素飽和度を生体１００から計測することを意味する。本実施形態において、「脳波を取得する」、「血中酸素飽和度を取得する」とは、生体信号測定装置１が、脳波や血中酸素飽和度を電極シート２００から得ることを意味する。また、「同時刻」とは、血中酸素飽和度の取得時刻が、生体１００の状態を測定するのに影響を与えない程度の差で脳波の取得時刻に対してずれていることも含む概念である。
【００１７】
電極２２０は、生体１００の額に接触することにより、生体１００の脳波をリアルタイムで得る。これにより、電極２２０は、生体１００の脳波を経時的に得ることができる。なお、電極２２０は、複数設けられ、生体１００の額の異なる位置で脳波を取得する。
【００１８】
光学素子２３０は、生体１００の額に光を照射して、反射した光に含まれる特定の波長の強度から血中酸素飽和度を得る。例えば、光学素子２３０は、反射した光に含まれる赤色波長の強度から血中酸素飽和度を取得する。これにより、光学素子２３０は、脳波が得られた時刻と同時刻に得られた生体１００の血中酸素飽和度を得ることができる。
【００１９】
光学素子２３０は、１つの電極シート２００に２以上又は３以上設けられることが好ましい。光学素子２３０が複数設けられることにより、額のように測定位置にばらつきが生じ得る人体部位で血中酸素濃度を取得する場合であっても、血管近傍で血中酸素飽和度を取得することができる可能性が顕著に向上する。そのため、より感度のよい血中酸素飽和度を取得することが可能になる。なお、本発明の発明者らは、額で得られた血中酸素飽和度と、指先で得られた血中酸素飽和度との間には、かなりの差異が生じることを見出した。そして、本発明の発明者らは、脳に近い部位で血中酸素飽和度を取得することにより、脳波に緊密に関連した生体情報を取得できることを見出した。
【００２０】
また、光学素子２３０は、発光素子（図示せず）を含む。発光素子（図示せず）は、ＬＥＤ（Ｌｉｇｈｔ  Ｅｍｉｔｔｉｎｇ  Ｄｉｏｄｅ）や有機電界発光素子であることが好ましい。特に、発光素子（図示せず）が有機電界発光素子であることにより、電極シート２００の薄膜化が可能となり、測定における生体１００へのストレスをさらに低減することが可能となる。これにより、再現性の良い通常生活を反映した生体情報の取得が可能となる。電極シート２００の詳細な構成については、後述する。
【００２１】
［第１実施形態］
次に、第１実施形態に係る生体信号測定装置１及びプログラムについて、図１〜図６を参照して説明する。本実施形態に係る生体信号測定装置１は、生体１００から取得した血中酸素飽和度に異常があるか否かを解析する装置である。また、生体信号測定装置１は、血中酸素飽和度に異常がある場合に、異常が発見された血中酸素飽和度にリンクする脳波を特定する装置である。
【００２２】
特に、本実施形態における生体信号測定装置１は、生体１００の一回の睡眠の間に取得した脳波及び血中酸素飽和度を一旦記録する。生体信号測定装置１は、記録が終了した後（例えば、生体１００が起床した後）に、記録された血中酸素飽和度を解析することにより、異常が発見された血中酸素飽和度にリンクする脳波を特定する装置である。
【００２３】
生体信号測定装置１は、例えば、ＰＣやタブレット等の情報端末として構成される。この生体信号測定装置１は、電極シート２００との間で無線を用いて通信可能に構成される。生体信号測定装置１は、脳波及び血中酸素飽和度を電極シート２００からリアルタイムで取得する。
【００２４】
この生体信号測定装置１は、図２に示すように、生体情報データベース１０と、生体情報取得部２０と、睡眠検知部３０と、時間特定部４０と、脳波特定部５０と、特定情報管理部６０と、特定情報データベース７０と、を備える。
【００２５】
生体情報データベース１０は、例えば、ハードディスク等に記録されたデータベースとして実現される。生体情報データベース１０は、例えば、電極シート２００による脳波及び血中酸素飽和度の取得開始から、生体１００の起床までの脳波及び血中酸素飽和度を生体情報として記録する。生体情報データベース１０は、１以上の生体情報を記録する。
【００２６】
生体情報取得部２０は、脳波取得部２１と、飽和度取得部２２と、生体情報管理部２３と、を備える。
生体情報取得部２０は、電極シート２００から脳波及び血中酸素飽和度を生体情報として取得する。また、生体情報取得部２０は、取得した生体情報を生体情報データベース１０に記録する。さらには、解析時において、生体情報取得部２０は、生体情報データベース１０に記録されている生体情報を読み出す。
【００２７】
脳波取得部２１は、例えば、バッファアンプやフィルタ等により実現される。脳波取得部２１は、電極シート２００（電極２２０）から脳波を取得し、処理した後、生体情報管理部２３に出力する。具体的には、脳波取得部２１は、経時的に得られた生体１００の脳波を取得し、増幅やフィルタリング等の処理をした後、生体情報管理部２３に出力する。また、解析時において、脳波取得部２１は、生体情報管理部２３によって生体情報データベース１０から読み出された生体情報に含まれる脳波を睡眠検知部３０及び脳波特定部５０に出力する。
【００２８】
飽和度取得部２２は、例えば、バッファアンプやフィルタ等により実現される。飽和度取得部２２は、血中酸素飽和度を電極シート２００（光学素子２３０）から取得し、処理した後、生体情報管理部２３に出力する。具体的には、飽和度取得部２２は、脳波が得られた時刻と同時刻に得られた生体１００の血中酸素飽和度を取得し、増幅やフィルタリング等の処理をした後、生体情報管理部２３に出力する。即ち、飽和度取得部２２は、脳波と時間的にリンクする血中酸素飽和度を電極シート２００から取得し、生体情報管理部２３に出力する。また、解析時において、飽和度取得部２２は、生体情報管理部２３によって生体情報データベース１０から読み出された生体情報に含まれる血中酸素飽和度を時間特定部４０に出力する。
【００２９】
生体情報管理部２３は、脳波取得部２１及び飽和度取得部２２によって取得された脳波及び血中酸素飽和度を紐づけて、生体情報を生成する。生体情報管理部２３は、生成した生体情報を生体情報データベース１０に記録する。解析時において、生体情報管理部２３は、生体情報データベース１０から解析に供される生体情報を読み出す。生体情報管理部２３は、例えば、キーボードやマウス等の入力手段（図示せず）から入力された生体情報を特定する情報に基づいて、該当する生体情報を生体情報データベース１０から読み出す。生体情報管理部２３は、読み出した生体情報に含まれる脳波を脳波取得部２１に出力する。また、生体情報管理部２３は、読み出した生体情報に含まれる血中酸素飽和度を飽和度取得部２２に出力する。
【００３０】
睡眠検知部３０は、例えば、ＣＰＵが機能することにより実現される。脳波取得部２１が出力した脳波を経時的に解析し、睡眠状態になったタイミングを検知する。睡眠検知部３０は、例えば、睡眠状態を示す脳波を検出することにより、生体１００が睡眠状態に入ったことを検知する。睡眠検知部３０は、生体１００が睡眠状態に入ったことを検知すると、検知信号を時間特定部４０に出力する。また、睡眠検知部３０は、脳波の解析を開始するタイミングで開始信号を時間特定部４０に出力する。
【００３１】
時間特定部４０は、例えば、ＣＰＵが機能することにより実現される。時間特定部４０は、血中酸素飽和度が所定の状態を示したタイミングを特定する。この時間特定部４０は、検出部４１と、時間取得部４２と、を備える。
【００３２】
検出部４１は、睡眠検知部３０から開始信号を受信すると、開始信号をトリガとして血中酸素飽和度の解析を開始する。検出部４１は、飽和度取得部２２が出力した血中酸素飽和度を睡眠検知部３０による脳波の解析と経時的にリンクしつつ解析する。換言すると、検出部は、睡眠検知部３０によって解析されている脳波の生体１００からの取得（計測）タイミングと同タイミングで生体１００から取得（計測）された血中酸素飽和度を経時的にリンクしながら解析する。例えば、検出部４１は、血中酸素飽和度のある因子（例えば、血中酸素飽和度の絶対値、単位時間あたりの血中酸素飽和度の変化量、所定の血中酸素飽和度を低下した回数）が所定のしきい値よりも低下した値を示した状態を検出してもよい。
【００３３】
検出部４１は、睡眠検知部３０から検知信号を受信すると、検知信号をトリガとして血中酸素飽和度が所定の状態を示したか否かの検出を開始する。検出部４１は、例えば、血中酸素飽和度が所定のしきい値よりも低下した値を示しているか否かの検出を開始する。
そして、検出部４１は、血中酸素飽和度が所定の状態を示したことを検出すると、検出信号を時間取得部４２に出力する。
【００３４】
時間取得部４２は、検出部４１から出力される検出信号が入力されると、検出信号が入力された時間を特定する。時間取得部４２は、血中酸素飽和度について、所定の状態を示したことが検出部４１により検出されたときに、検出された時間を特定する。例えば、時間の一例として時刻を用いる場合、時間取得部４２は、所定のしきい値よりも低下した値を示したことが検出部４１により検出されたときに、時刻を計時する計時部（図示せず）から現在の時刻を取得する。時間取得部４２は、血中酸素飽和度が所定の状態を示した（所定のしきい値より低下した値を示した）時刻として、取得した時刻を特定された時刻とする。時間取得部４２は、取得した時刻を特定された時刻として脳波特定部５０に出力する。また、時間取得部４２は、特定された時刻から所定時間経過後（例えば、特定された時間から１時間後）までの血中酸素飽和度を特定された血中酸素飽和度として特定情報管理部６０に出力する。
【００３５】
脳波特定部５０は、特定された時間に関連する予め定められた期間に得られた脳波を特定する。具体的には、脳波特定部５０は、血中酸素飽和度の減少傾向が特定された時間では既に始まっていることから、特定された時間と減少開始時間とを含むような予め定められた期間に得られた脳波を特定する。例えば、脳波特定部５０は、特定された時刻を含み、特定された時刻から所定時間前の時刻を含む期間に得られた脳波を特定する。より好ましくは、脳波特定部５０は、睡眠時無呼吸症候群の診断に用いるため、所定時間前の時刻から所定時間後（例えば、所定時間前の時刻から１時間後）の間の脳波を特定する。脳波特定部５０は、特定された脳波を特定情報管理部６０に出力する。
【００３６】
特定情報管理部６０は、脳波特定部５０から出力された特定された脳波と、検出部４１から出力された特定された血中酸素飽和度とを紐づけた特定情報を生成する。特定情報管理部６０は、特定情報を特定情報データベース７０に記録する。
【００３７】
特定情報データベース７０は、例えば、ハードディスク等に記録されたデータベースとして実現される。特定情報データベース７０は、特定情報管理部６０によって生成された１又は複数の特定情報を記録する。
【００３８】
次に、図３を参照して、本実施形態の生体信号測定装置１及びプログラムによる処理の流れを説明する。
【００３９】
まず、図１に示すように、電極シート２００が生体１００の額に取り付けられる（ステップＳ１）。これにより、電極シート２００は、生体信号測定装置１への生体１００から計測された脳波及び血中酸素飽和度の送信を開始する。
【００４０】
脳波取得部２１は、電極シート２００から脳波を取得する（ステップＳ２）。また、飽和度取得部２２は、電極シート２００から血中酸素飽和度を取得する（ステップＳ３）。
【００４１】
脳波取得部２１及び飽和度取得部２２は、脳波及び血中酸素飽和度の取得が終了するまで脳波及び血中酸素飽和度の取得を続ける（ステップＳ４  ＮＯ）。例えば、脳波取得部２１及び飽和度取得部２２は、生体１００が起床するまで脳波及び血中酸素飽和度の取得を続ける。脳波取得部２１及び飽和度取得部２２が脳波及び血中酸素飽和度の取得を終了すると（ステップＳ４  ＹＥＳ）、生体情報管理部２３は、脳波取得部２１によって得られた脳波と、飽和度取得部２２によって得られた血中酸素飽和度とを取得タイミングを合わせた状態で紐づけて生体情報を生成する（ステップＳ５）。生体情報管理部２３は、生成した生体情報を生体情報データベース１０に記録する。
【００４２】
次に、睡眠検知部３０、時間特定部４０、及び脳波特定部５０は、異常が検出された脳波及び血中酸素飽和度の特定を開始する（ステップＳ６  ＹＥＳ）。具体的には、生体情報管理部２３は、生体情報データベース１０に記録されている生体情報を読み出す。脳波取得部２１は、生体情報に含まれる脳波を睡眠検知部３０に出力する。飽和度取得部２２は、生体情報に含まれる血中酸素飽和度を時間特定部４０に出力する。なお、睡眠検知部３０、時間特定部４０、及び脳波特定部５０が脳波及び血中酸素飽和度の特定を開始しない場合には、生体信号測定装置１による処理は終了する（ステップＳ６  ＮＯ）。例えば、生体信号取得装置１が、脳波及び血中酸素飽和度を記録した後、他の生体１００の脳波及び血中酸素飽和度を記録するために解析を後回しにするような場合、生体信号測定装置１による処理は終了する。
【００４３】
睡眠検知部３０は、脳波の解析を開始する開始信号を時間特定部４０及び脳波特定部５０に出力する。また、睡眠検知部３０は、脳波を解析して、生体１００が睡眠状態に入ったことを検知する（ステップＳ７）。具体的には、睡眠検知部３０は、睡眠状態にあると認められる脳波を検出することにより、生体１００が睡眠状態に入ったことを検知する（ステップＳ７  ＹＥＳ）。睡眠検知部３０は、例えば、図４に示す覚醒中の脳波から、図５に示す睡眠中の脳波に変化したことを検知することにより、生体１００が睡眠状態に入ったことを検知する。即ち、睡眠検知部３０は、脳波の振幅や周波数が所定の条件を満たしたことを検知して、生体１００が睡眠状態に入ったことを検知する。例えば、睡眠検知部３０は、振幅が所定の大きさを超えたことや、周波数が所定の周期よりも大きくなったことを検知して、生体１００が睡眠状態に入ったことを検知する。ここで、図４及び図５の複数の脳波Ａ〜Ｆのそれぞれは、生体１００の額上の異なる位置で得られた脳波を示す。
【００４４】
一方、睡眠検知部３０は、覚醒中の脳波を検知している間（ステップＳ７  ＮＯ）、睡眠中の脳波を検知するまで解析を継続する。睡眠検知部３０は、生体１００が睡眠状態に入ったことを検知すると、検知信号を検出部４１に送る。
【００４５】
検出部４１は、睡眠検知部３０から開始信号を受信すると、開始信号をトリガとして血中酸素飽和度の解析を開始する。検出部４１は、検知信号を睡眠検知部３０から受けると、検知信号をトリガとして血中酸素飽和度が所定の状態を示したか否かの検出を開始する。検出部４１は、血中酸素飽和度が所定の状態を示したときを検出する（ステップＳ８  ＹＥＳ）。本実施形態において、検出部４１は、図６に示すように、血中酸素飽和度が所定のしきい値（本実施形態では、例えば９５％（指先では３％減が１つの基準であり、図６を参照すると額では５％減に相当するため））を示したことを検出し、検出信号を時間取得部に出力する。
【００４６】
時間取得部４２は、検出信号が入力されると、検出された時間を取得する（ステップＳ９）。時間取得部４２は、取得した時間を特定された時間として、脳波特定部５０に送る。また、時間取得部４２は、特定された時間から所定時間経過後（例えば、特定された時間から１時間後）までの血中酸素飽和度を特定された血中酸素飽和度として特定する（ステップＳ１０）。そして、時間取得部は、特定された血中酸素飽和度を特定情報管理部６０に出力する。
【００４７】
脳波特定部５０は、検出部４１による脳波の解析と経時的にリンクして脳波取得部２１が出力した脳波を解析する。即ち、脳波特定部５０は、睡眠検知部３０が出力した開始信号に基づいて、脳波の解析を開始する。また、脳波特定部５０は、時間取得部により特定された時間に関連する予め定められた期間に得られた脳波を特定する。即ち、脳波特定部５０は、時間取得部４２によって特定された血中酸素飽和度と同じ期間の脳波を特定する。脳波特定部５０は、特定された脳波を特定情報管理部６０に出力する。
【００４８】
特定情報管理部６０は、時間取得部４２から出力された特定された血中酸素飽和度と、脳波特定部５０から出力された特定された脳波とを紐づけて特定情報を生成する。特定情報管理部６０は、生成した特定情報を特定情報データベース７０に記録する（ステップＳ１１）。
【００４９】
一方、検出部４１は、血中酸素飽和度が所定の状態を示さない場合に、脳波及び血中酸素飽和度の検知を継続する（ステップＳ８  ＮＯ）。そして、検出部４１は、取得された脳波及び血中酸素飽和度の解析が終了するまで検出を継続する（ステップＳ１２  ＮＯ）。検出部４１は、取得された脳波及び血中酸素飽和度の解析が終了すると、生体信号測定装置１による処理が終了する（ステップＳ１２  ＹＥＳ）。
【００５０】
以上説明した第１実施形態の生体信号測定装置１及びプログラムによれば、以下のような効果を奏する。
【００５１】
（１）生体信号測定装置１を、経時的に得られた生体１００の脳波を取得する脳波取得部２１と、経時的に生体１００の血中酸素飽和度を取得する飽和度取得部２２と、取得された脳波と取得された血中酸素飽和度とを時間的にリンクさせて紐づける生体情報管理部２３と、を含んで構成した。これにより、取得された脳波と、取得された血中酸素飽和度のうち、同じタイミングで取得された脳波及び血中酸素飽和度を容易に特定することができる。
【００５２】
（２）生体信号測定装置１をさらに、血中酸素飽和度が所定の状態を示した時間を特定する時間特定部４０と、特定された時間に関連する予め定められた期間に取得された脳波を特定する脳波特定部５０と、を含んで構成した。これにより、予め定められた期間の血中酸素飽和度及び脳波を容易に特定することができ、解析に用いられる脳波及び血中酸素飽和度を容易に特定することができる。
【００５３】
（３）時間特定部４０を、血中酸素飽和度が所定のしきい値よりも低下した値を示した状態を検出する検出部４１と、血中酸素飽和度が所定のしきい値よりも低下した値を示したことが検出された時間を取得する時間取得部４２と、を含んで構成した。これにより、血中酸素飽和度が所定のしきい値よりも低下したときの時間を用いて、解析に供される脳波及び血中酸素飽和度を抽出することができる。したがって、解析に適した脳波及び血中酸素飽和度を特定することができる。
【００５４】
［第２実施形態］
次に、本発明の第２実施形態に係る生体信号測定装置１及びプログラムについて、図７を参照して説明する。第２実施形態の説明にあたって、第１実施形態と同一構成要件については同一符号を付し、その説明を省略もしくは簡略化する。
第２実施形態に係る生体信号測定装置１は、生体１００の額から脳波及び血中酸素飽和度を取得しながら、リアルタイムで脳波及び血中酸素飽和度を解析する点で第１実施形態と異なる。これに伴い、第２実施形態に係る生体信号測定装置１は、図７に示すように、生体情報管理部２３及び生体情報データベース１０を備えていない点で第１実施形態と異なる。第２実施形態に係る生体信号測定装置１においては、リアルタイムで脳波及び血中酸素飽和度を解析するため、第１実施形態のように脳波及び血中酸素飽和度を一旦生体情報データベース１０に保存したり、生体情報管理部を介して読み出したりする必要がないためである。また、第２実施形態に係る生体信号測定装置１の動作及びプログラムは、図３のステップＳ５（生体情報データベース１０に関連するステップ）及びステップＳ６（生体情報管理部２３に関連するステップ）を備えていない点で第１実施形態と異なる。
【００５５】
以上説明した第２実施形態の生体信号測定装置１及びプログラムによれば、脳波及び血中酸素飽和度の取得とともに、解析に用いられる脳波及び血中酸素飽和度を特定することができる。
【００５６】
［第３実施形態］
次に、本発明の第３実施形態に係る生体信号測定装置１について、図８及び図９を参照して説明する。第３実施形態の説明にあたって、同一構成要件については同一符号を付し、その説明を省略もしくは簡略化する。
第３実施形態に係る生体信号測定装置１は、第１実施形態及び第２実施形態において特定された脳波及び血中酸素飽和度（特定情報データベース７０から読み出された特定情報）から、生体１００の状態を検証する装置である。本実施形態に係る生体信号測定装置１は、図８に示すように、要因名データベース８０と、測定部９０と、出力制御部１１０と、を備える。なお、本実施形態では、生体信号測定装置１が、第１実施形態において特定情報管理部６０によって生成された特定情報を解析する例を説明する。
【００５７】
要因名データベース８０は、例えば、ハードディスク等に記録されたデータベースとして実現される。要因名データベース８０は、睡眠時無呼吸症候群や睡眠時無呼吸症候群に近い症状を引き起こす要因ごとに、計測される可能性のある脳波及び血中酸素飽和度を記録する。また、要因名データベース８０は、該当する要因名（疾患名）を発現可能性のある脳波及び血中酸素飽和度ごとに記録する。
【００５８】
測定部９０は、例えば、ＣＰＵが機能することにより実現される。測定部９０は、脳波特定部５０によって特定された脳波の状況から生体１００の状態を測定する。具体的には、測定部９０は、特定された脳波と、要因名データベース８０に記録されている脳波とを対比する。測定部９０は、対比の結果、類似又は合致する脳波が有る場合に、該当する脳波の要因名（疾患名）を要因名データベース８０から取得する。
【００５９】
出力制御部１１０は、例えば、ＧＰＵやＣＰＵが機能することにより実現される。出力制御部１１０は、測定部９０によって取得された要因名（疾患名）を出力するように出力装置（図示せず）を制御する。例えば、出力制御部１１０は、測定部９０によって取得された要因名（疾患名）を表示するように表示装置（図示せず）を制御する。
【００６０】
次に、本実施形態に係る生体信号測定装置１及びプログラムの動作について、図９を参照して説明する。
【００６１】
まず、測定部９０は、特定情報データベース７０から、測定に供される特定情報を読み出す（ステップＳ２１）。
【００６２】
測定部９０は、読み出された特定情報に含まれる特定された脳波又は特定された血中酸素飽和度と、要因名データベース８０に記録されている脳波又は血中酸素飽和度とを対比する（ステップＳ２２）。測定部９０は、対比の結果、類似又は合致する脳波又は血中酸素飽和度が有る場合に（ステップＳ２３  ＹＥＳ）、該当する脳波の要因名（疾患名）を要因名データベース８０から取得して要因名（疾患名）を特定する（ステップＳ２４）。一方、要因名（疾患名）が特定できない場合（ステップＳ２３  ＮＯ）、測定部９０は、要因名（疾患名）不明と特定する（ステップＳ２５）。
【００６３】
出力制御部１１０は、特定された疾患名又は疾患名不明であることを出力装置に出力する。脳波及び血中酸素飽和度の測定を終了する場合（ステップＳ２６  ＹＥＳ）、生体信号測定装置１は、測定を終了する（ステップＳ２７）。一方、脳波及び血中酸素飽和度の測定を続ける場合（ステップＳ２６  ＮＯ）、ステップＳ１に戻る。
【００６４】
以上説明した第３実施形態の生体信号測定装置１及びプログラムによれば、以下のような効果を奏する。
【００６５】
（４）生体信号測定装置１をさらに、特定された脳波又は血中酸素飽和度の状況から生体１００の状態を測定する測定部９０を含んで構成した。これにより、血中酸素飽和度が所定の状態を示した場合に、所定の状態を示した時刻に予め定められた期間の脳波の状況から生体１００の状況を詳しく測定することができる。従って、脳波及び血中酸素飽和度を用いて具体的に生体１００の状態を測定することができる。また、血中酸素飽和度が所定のしきい値よりも低下したときの時間を用いて、睡眠時無呼吸症候群に近い症状があるか否かの測定をすることができる。
【００６６】
以上、本発明の生体信号測定装置及びプログラムの好ましい一実施形態につき説明したが、本発明は、上述の実施形態に制限されるものではなく、適宜変更が可能である。
【００６７】
例えば、上記実施形態において、血中酸素飽和度が示す所定の状態を、所定のしきい値よりも低下した値を示した状態として説明したがこれに限らない。例えば、血中酸素飽和度が示す所定の状態を、所定の傾き（所定の飽和度低下率（飽和度変化／時間））が検出された状態や、特定の波形が検出された状態等とすることも可能である。また、血中酸素飽和度が示す所定の状態を、所定の（血中酸素）飽和度低下率の一定時間（例えば１時間）内に起こる回数があるしきい値を超えた場合とすることも可能である。血中酸素飽和度が示す所定の状態を、血中酸素飽和度の低下が５％のしきい値よりも厳しいしきい値（例えば３％）を一定期間内に超える回数があるしきい値を超えた場合とすることも可能である。血中酸素飽和度が示す所定の状態を、スパイク的（突発的）な血中酸素飽和度の減少が所定回数起きた場合とすることも可能である。これにより、睡眠時無呼吸症候群を含め、多くの疾患を測定できる可能性を生体信号測定装置１にもたせることができる。
【００６８】
また、上記実施形態において、生体信号測定装置１は、脳波及び血中酸素飽和度を検出可能な一体型の電極シート２００から脳波及び血中酸素飽和度を取得することとした。これに限らず、生体信号測定装置１は、ヘッドギアタイプの脳波検出器や、指に取り付ける血中酸素飽和度検出器等の別体として構成される装置から脳波及び血中酸素飽和度を取得してもよい。また、生体信号測定装置１は、これらの機器と無線を用いて通信可能であるとしたが、有線で接続されてもよい。さらには、生体信号測定装置１は、例えば、ＵＳＢや磁気記録装置等の外部記録媒体に予め記録された脳波及び血中酸素飽和度（電極シート２００によって外部記録媒体に記録された脳波及び血中酸素飽和度）を取得してもよい。なお、この場合には、生体信号測定装置１は、得られた時刻と共に記録された脳波及び血中酸素飽和度を取得するのがより好ましい。
【００６９】
指に取り付ける血中酸素飽和度検出器を用いて血中酸素飽和度を得る場合、図６に示すように、額（電極シート２００）を用いて血中酸素飽和度を得る場合に比べ、血中酸素飽和度の低下までのタイムラグが大きくなる。従って、脳波特定部５０は、血中酸素飽和度の取得部位によって異なる期間（例えば、額によって血中酸素飽和度を取得する場合よりも長い期間）を予め定められた期間として、この期間に計測された脳波を特定するのが好ましい。この場合、脳波特定部５０が特定する脳波の期間が長くなり、測定部９０によって測定すべき脳波の期間が長くなる。そこで、測定部９０による測定の精度を上げるためには、脳波及び血中酸素飽和度がより近い位置（例えば、図１に示すように額の上下等）で取得されるのが好ましい。
【００７０】
また、上記実施形態において、飽和度取得部２２は、電極シート２００から血中酸素飽和度を取得するとしたが、これに制限されない。例えば、飽和度取得部２２をＣＰＵ及び送受信デバイスにより実現して、飽和度取得部２２が、光学素子２３０から得られた電気信号を取得して、血中酸素飽和度を計算するようにしてもよい。
【００７１】
また、第３実施形態に係る生体信号測定装置１は、第１実施形態又は第２実施形態に係る生体信号測定装置１とは別体として構成されていてもよい。例えば、第３実施形態に係る生体信号測定装置１と、第１実施形態又は第２実施形態に係る生体信号測定装置１とは、別体として、互いに通信可能に構成されていてもよい。また、第１実施形態から第３実施形態に係る生体信号測定装置１は、電極シート２００の一構成とされてもよい。
【００７２】
また、上記実施形態において、「時間」とは、「時刻」に限定されず、所定の条件が検出されたタイミング等を含むことができる。要は、「時間」とは、同時刻に取得された脳波及び血中酸素飽和度を特定可能な要素であれば時刻に限定されない。
【００７３】
また、上記第３実施形態において、第１実施形態の特定情報管理部６０によって生成された特定情報を解析する例を説明したが、これに制限されない。即ち、第３実施形態に係る生体信号測定装置１は、第２実施形態の特定情報管理部６０によって生成された特定情報を解析してもよい。
【００７４】
本発明に係る生体信号測定装置により取得した脳波と、血中酸素飽和度とを用いて、睡眠状態を解析する方法も、本発明の一形態である。具体的には、本発明に係る生体信号測定装置により取得した脳波と、血中酸素飽和度とを用いて、睡眠中の単位時間当たりに血中酸素飽和度が低下する回数を算出したり、脳波や血中酸素濃度のグラフやバルクデータから特定のパターンが含まれるかを評価したりすることにより、睡眠状態を解析する方法も本発明の一形態である。同様に、本発明に係る生体信号測定装置により取得した脳波と、血中酸素飽和度とを用いて、覚醒状態を解析する方法もまた、本発明の一形態である。
【００７５】
［電極シート２００の詳細］
［変形例１］
次に、上記実施形態に用いられる電極シート２００の詳細構成を変形例１として説明する。
電極シート２００は、図１０〜図１３に示すように、フレキシブル基板２１０と、生体信号取得部２６０と、標示部３００と、グランド電極２８０と、を備える。電極シート２００は、全体として略矩形形状に形成される。電極シート２００は、生体（人体）１００の額に合わせて貼付可能な大きさで形成されている。具体的には、電極シート２００は、額のうち両目に近い位置において血中酸素飽和度のための信号を取得する。また、電極シート２００は、その上方に位置する額において脳波を取得する。
【００７６】
フレキシブル基板２１０は、平面視矩形形状である。フレキシブル基板２１０の一辺は、面外方向に突出する形状をもつ。具体的には、フレキシブル基板２１０は、図１０において直線Ｘの一方側で矩形形状に形成される生体信号取得領域２１０Ａと、直線Ｘの他方側で面外方向に突出する領域によって矩形形状に形成される配線配置領域２１０Ｂと、をもつ。フレキシブル基板２１０は、配線配置領域２１０Ｂにおいて、外部の生体信号測定装置１や、無線により生体信号測定装置１に生体信号を送出する無線機器（図示せず）に接続可能になっている。配線配置領域２１０Ｂには、複数の配線２７１，２７１，・・・が配置される。このようなフレキシブル基板２１０は、基準層２１１と、接触層２１２と、を備える。なお、フレキシブル基板２１０に接続した無線機器（図示せず）及び電極シート２００によって、電極シートモジュールが構成される。
【００７７】
基準層２１１は、生体信号取得領域２１０Ａと、配線配置領域２１０Ｂとを合わせたフレキシブル基板２１０の領域全体に配置される。基準層２１１は、シート状に形成される。基準層２１１は、柔軟性及び伸縮性をもつ材料を用いて形成される。基準層２１１は、電極シート２００を額に取り付けた際に、露出する面を形成する。
【００７８】
接触層２１２は、電極シート２００を額に取り付けた際に、額に接触する面を形成する。接触層２１２は、基準層２１１と同様に、シート状に形成される。接触層２１２は、基準層２１１と同様に、柔軟性及び伸縮性をもつ材料を用いて形成される。また、接触層２１２は、基準層２１１に重ね合わせて形成される。特に、接触層２１２は、基準層２１１の形状と同じ形状及び大きさによって、基準層２１１の一方の面全体を覆うように形成される。そして、接触層２１２は、生体信号取得領域２１０Ａのうち、直線Ｙで区切られた他方の領域に貫通孔２１３をもつ。具体的には、接触層２１２は、生体信号取得領域２１０Ａのうち、直線Ｙで区切られた両目に近い位置に接触する領域に貫通孔２１３をもつ。本実施形態において、接触層２１２は、直線Ｙに沿って所定の間隔を開けて形成される４つの貫通孔２１３をもつ。なお、直線Ｙは、仮想的な直線である。
【００７９】
生体信号取得部２６０は、フレキシブル基板２１０上に配置され、生体１００の生体信号を取得する。具体的には、生体信号取得部２６０は、２種類の生体信号を取得する。このような生体信号取得部２６０は、電気信号取得部２２２と、光信号取得部２５０と、を備える。
【００８０】
電気信号取得部２２２は、フレキシブル基板２１０の一面を直線Ｙで２分割した一方の領域（額の上方に接触する領域）に配置される。電気信号取得部２２２は、生体信号を電気的に取得可能となっている。このような電気信号取得部２２２は、複数の電極２２０，２２０，・・・と、複数の電極用配線２２１，２２１，・・・と、を備える。電気信号取得部２２２は、全体として、フレキシブル基板２１０の一面に印刷法を用いて形成される。本実施形態において、電気信号取得部２２２は、フレキシブル基板２１０の長辺に沿う直線Ｙで２分割された一方の領域に配置される。
【００８１】
複数の電極２２０，２２０，・・・は、フレキシブル基板２１０の面に沿って所定の方向に並べられる。本実施形態において、複数の電極２２０，２２０，・・・は、平面視矩形形状に形成された一辺（長辺）に沿って７つ並べられる。
【００８２】
また、複数の電極２２０，２２０，・・・は、フレキシブル基板２１０の一面を２分割して２つの領域を形成する直線Ｙと略平行に並べられる。そして、それぞれの電極２２０は、隣接する電極２２０に対して、並べられる方向に交差する方向に交互に位置をずらして配置される。これにより、直線状に複数の電極２２０，２２０，・・・を並べる場合に比べ、複数の電極２２０，２２０，・・・を電気信号取得部２２２の領域内の種々の位置に配置することができる。したがって、より精度の良い生体信号のデータの取得が可能となる。複数の電極２２０，２２０，・・・は、個人差のある生体信号の発信位置に関わらず、いずれかにおいて生体信号を取得することができる。
【００８３】
複数の電極用配線２２１，２２１，・・・は、複数の電極２２０の数に合わせて設けられる。複数の電極用配線２２１，２２１，・・・は、フレキシブル基板２１０の突出する辺からフレキシブル基板２１０上を伸びて、複数の電極２２０のそれぞれに接続されて設けられる。また、複数の電極用配線２２１，２２１，・・・は、配線配置領域２１０Ｂの配線２７１，２７１，・・・として、生体信号測定装置１へ接続可能になっている。
【００８４】
以上のような電気信号取得部２２２によれば、複数の電極２２０，２２０，・・・が生体信号の測定位置に貼り付けられることで、脳波等の自発的に発信される生体信号を電気信号として取得することができる。複数の電極２２０は、取得した電気信号を、複数の電極用配線２２１，２２１，・・・を介して生体信号測定装置１等に送信することができる。
【００８５】
光信号取得部２５０は、電気信号取得部２２２と同じように、フレキシブル基板２１０の一面に配置される。そして、光信号取得部２５０は、フレキシブル基板２１０の一面を直線Ｙで２分割した他方の領域（額のうち両目に近い位置）に配置される。光信号取得部２５０は、生体１００に対して光を照射することにより、照射した光に基づいて得られた信号を取得する。このような光信号取得部２５０は、複数の光学素子２３０，２３０，・・・と、保護層２４０と、を備える。本実施形態において、光信号取得部２５０は、それぞれの貫通孔２１３の内側面に囲われる領域に、１つの光学素子２３０と、１つの保護層２４０とを対として設けられている。また、本実施形態において、光信号取得部２５０は、フレキシブル基板２１０の長辺に沿う直線Ｙで２分割された他方の領域に配置される。
【００８６】
複数の光学素子２３０，２３０，・・・は、複数の電極２２０の配列方向と略同方向に並べられる。つまり、複数の光学素子２３０，２３０，・・・は、フレキシブル基板２１０の一面を２分割して２つの領域を形成する直線と略平行に並べられる。複数の光学素子２３０，２３０，・・・のそれぞれは、図１０に示すように、発光部２３２と、受光部２３１と、を備える。複数の光学素子２３０，２３０，・・・のそれぞれは、フレキシブル基板２１０上に形成された配線（図示せず）に接続される。
【００８７】
発光部２３２は、例えばＯＬＥＤ（有機ＥＬダイオード）、ｉＯＬＥＤ（逆有機ＥＬダイオード）や一般的なＬＥＤであり、生体１００に対して所定波長の光を照射するために設けられる。本変形例において、発光部２３２は、ＯＬＥＤである。発光部２３２は、複数の層を重ねて構成される。具体的には、発光部２３２は、図１２に示すように、陽極２９１と、正孔注入層２９２と、正孔輸送層２９３と、発光層２９４と、電子注入層２９５と、陰極２９６と、を備える。そして、発光部２３２は、陽極２９１、正孔注入層２９２、正孔輸送層２９３、発光層２９４、電子注入層２９５、及び陰極２９６の順に積層される。発光部２３２は、陰極２９６から陽極２９１に向かう方向に沿って外部に光を照射する。
【００８８】
発光部２３２は、一例として、以下のように作製される。
［１］市販されている平均厚さ０．１ｍｍのＩＴＯ電極層付きＰＥＴ（ポリエチレンテレフタラート）基板を用意した。この時、基板のＩＴＯ電極（陽極２９１）は幅１ｍｍにパターニングされているものを用いた。この基板をイソプロパノール中でそれぞれ１０分間超音波洗浄した。この基板をイソプロパノール中から取り出し、窒素ブローにより乾燥させ、ＵＶオゾン洗浄を２０分間行った。
［２］この基板をスピンコーターにセットし、市販のポリ（３，４−エチレンジオキシチオフェン／スチレンスルホン酸）（ＰＥＤＯＴ／ＰＳＳ）の水分散液を滴下し、毎分１，８００回転で６０秒間回転させ、さらに１２５℃のホットプレートで１０分間乾燥させて、陽極上にＰＥＤＯＴ／ＰＳＳからなる正孔注入層２９２を形成した。正孔注入層２９２の平均厚さは６０ｎｍであった。正孔注入層２９２の平均厚さは、触針式段差計により測定した。
［３］正孔注入層２９２まで形成した基板を真空蒸着装置の基板ホルダーに固定した。４，４’−ビス［９−ジカルバゾリル］−２，２’−ビフェニル（ＣＢＰ）、イリジウムトリス（１−フェニルイソキノリン）（Ｉｒ（ｐｉｑ）３）、Ｎ，Ｎ’−ジ（１−ナフチル）−Ｎ，Ｎ’−ジフェニル−１，１’−ビフェニル−４，４’−ジアミン（α−ＮＰＤ）をそれぞれアルミナルツボに入れて蒸着源にセットした。真空蒸着装置内を約１×１０−５Ｐａまで減圧し、α−ＮＰＤを６０ｎｍ蒸着し、正孔輸送層２９３を成膜した。次に、ＣＢＰをホスト、Ｉｒ（ｐｉｑ）３をドーパントとして３５ｎｍ共蒸着し、発光層２９４を成膜した。この時、ドープ濃度はＩｒ（ｐｉｑ）３が発光層２９４全体に対して６重量％となるようにした。
［４］市販の日本触媒社製ポリエチレンイミンＳＰ−２００とトリフェニルホスフィンオキシドの混合エタノール溶液を作製した。この時、トリフェニルホスフィンオキシドの濃度は０．５％、ポリエチレンイミンオキシドの濃度は１％とした。上記工程［４］で作製した基板をスピンコーターにセットした。上記工程［３］で形成した発光層２９４の上にポリエチレンイミン−トリフェニルホスフィンオキシド混合エタノール溶液を滴下し、毎分２，０００回転で３０秒間回転させ、発光層２９４の上に電子注入層２９５を形成した。電子注入層２９５の平均厚さは１０ｎｍであった。電子注入層２９５の平均厚さは、触針式段差計により測定した。
［５］上記工程［４］で作製した基板を真空蒸着装置の基板ホルダーに固定した。アルミニウムワイヤー（Ａｌ）をアルミナルツボに入れて蒸着源にセットした。真空蒸着装置内を約１×１０−４Ｐａまで減圧し、電子注入層２９５の上にＡｌ（陰極２９６）を平均厚さが１００ｎｍとなるように蒸着し、有機電界発光素子（１）を作製した。陰極２９６の平均厚さは、水晶振動子膜厚計により成膜時に測定した。なお、陰極２９６を蒸着する時、ステンレス製の蒸着マスクを用いて蒸着面が幅１ｍｍの帯状になるようにした。即ち、作製した有機電界発光素子の発光面積は１ｍｍ２とした。
【００８９】
受光部２３１は、例えばＰＤ（フォトダイオード）やＯＰＤ（有機フォトダイオード）である。受光部２３１は、発光部２３２と一対に設けられる。受光部２３１は、発光部２３２によって照射された光の反射光を受光可能に構成される。本実施形態において、受光部２３１は、複数の光学素子２３０，２３０，・・・の並べられている方向と交差する方向に、受光部２３１に隣接するように配置される。受光部２３１は、例えば、８．９％  Ｓｉｎｇｌｅ−Ｓｔａｃｋ  Ｉｎｖｅｒｔｅｄ  Ｐｏｌｙｍｅｒ  Ｓｏｌａｒ  Ｃｅｌｌｓ  ｗｉｔｈ  Ｅｌｅｃｔｒｏｎ−Ｒｉｃｈ  Ｐｏｌｙｍｅｒ  Ｎａｎｏｌａｙｅｒ−Ｍｏｄｉｆｉｅｄ  Ｉｎｏｒｇａｎｉｃ  Ｅｌｅｃｔｒｏｎ−Ｃｏｌｌｅｃｔｉｎｇ  Ｂｕｆｆｅｒ  Ｌａｙｅｒｓ（ＡＤＶＡＮＣＥＤ  ＥＮＥＲＧＹ  ＭＡＴＥＲＩＡＬＳ，２０１４年１月７日公開）に記載された構成や作製方法で作製することができる。
【００９０】
保護層２４０は、図１０及び図１１に示すように、基準層２１１上に積層される柔軟性をもつ層である。保護層２４０は、接触層２１２よりヤング率の高い材料により形成される。保護層２４０は、光学素子２３０に接触しつつ、光学素子２３０を囲う。保護層２４０は、フレキシブル基板２１０と同様に伸縮性をもつ。本実施形態において、保護層２４０は、光信号取得部２５０が形成されたフレキシブル基板２１０の領域に合わせた大きさで形成される。このような保護層２４０は、硬質層２４１と、軟質層２４２と、を備える。保護層２４０は、発光部２３２の発光により照射される光の波長及び受光部２３１で受光可能な光の波長を透過する性質の材料で形成される。
【００９１】
硬質層２４１は、接触層２１２よりもヤング率の高い材料により形成される。硬質層２４１は、貫通孔２１３の径よりも小さい径で形成される。硬質層２４１は、光学素子２３０に接触する。そして、硬質層２４１は、複数の光学素子２３０，２３０，・・・のそれぞれを封止するように基準層２１１上に積層される。即ち、硬質層２４１は、発光部２３２及び受光部２３１を基準層２１１との間に封止するように形成される。
【００９２】
軟質層２４２は、硬質層２４１よりもヤング率の低い材料で形成される。軟質層２４２は、硬質層２４１に隣接する。つまり、軟質層２４２は、硬質層２４１及び接触層２１２の間の部分を充填するように配置される。また、軟質層２４２の露出する表面は、硬質層２４１の露出する表面と面一になるように積層される。
【００９３】
以上のような光信号取得部２５０によれば、生体１００に取り付けられた際に、生体１００の湾曲に沿って保護層２４０が湾曲する。このとき、ヤング率の低い軟質層２４２がより湾曲しやすく、ヤング率の高い硬質層２４１が湾曲しにくい。したがって、軟質層２４２がより湾曲したとしても、硬質層２４１が軟質層２４２よりも湾曲しないので、湾曲によるひずみが光学素子２３０に伝わることを抑制することができる。これにより、湾曲により光学素子２３０がダメージを受けることを抑制することができる。
【００９４】
そして、以上のような電気信号取得部２２２及び光信号取得部２５０によれば、複数の電極２２０，２２０，・・・及び複数の光学素子２３０，２３０，・・・が、フレキシブル基板２１０の同じ面（一面）に設けられるので、複数の電極２２０，２２０，・・・及び複数の光学素子２３０，２３０，・・・を同時に生体１００に接触させることができる。これにより、電気的な生体信号と、光学的な生体信号との双方を同時に取得することができる。
【００９５】
標示部３００は、電気信号取得部２２２及び光信号取得部２５０を生体１００の計測位置に接触させるために、生体１００の所定の位置に位置合わせ可能に設けられる。本実施形態において、標示部３００は、図１３に示すように、フレキシブル基板２１０の一面とは逆の面（生体１００に電極シート２００を貼付したときに露出する面、以下、露出面という）に設けられる。つまり、標示部３００は、基準層２１１上に設けられる。例えば、標示部３００は、鼻の筋に沿う方向に沿って位置合わせ可能なように、直線状の線としてフレキシブル基板２１０の一面とは逆の面に印刷等により設けられる。
【００９６】
グランド電極２８０（図１３では図示省略）は、配線２７０を介して、配線配置領域２１０Ｂの配線２７１に接続される。グランド電極２８０は、生体１００の耳等に接触して、生体１００の基準電位を取得するために設けられる。グランド電極２８０は、配線２７０及び配線２７１を介して、生体信号測定装置１へ接続可能になっている。
【００９７】
以上のような電極シート２００は、以下のように用いられる。
まず、電極シート２００が生体１００の測定位置に近づけられる。このとき、標示部３００の設けられている面（基準層２１１の一方の面）は、露出する面とされる。そして、標示部３００は、生体１００の所定の位置（例えば、鼻の筋に沿う位置）に、位置合わせされる。標示部３００が位置合わせされた状態で、電極シート２００は、生体１００に貼付される。
【００９８】
電極シート２００が生体１００に貼付されることにより、フレキシブル基板２１０及び保護層２４０は、生体１００の湾曲に沿って湾曲する。例えば、電極シート２００が生体１００の額に貼付されることにより、フレキシブル基板２１０及び保護層２４０は、額の形状に沿って湾曲する。これにより、複数の電極２２０，２２０，・・・は、生体１００に接触することにより、生体１００から生体信号（電気信号）を取得可能になる。また、複数の光学素子２３０，２３０，・・・は、生体１００に対して光を照射及び受光することが可能になり、生体１００から生体信号（光信号）を取得可能になる。
【００９９】
具体的には、発光部２３２は、１つの光又は波長の異なる複数の光を血管に照射する。これにより、血液中のヘモグロビンは、光を吸収する。吸収されなかった光は、受光部２３１によって集光される。ヘモグロビンの光の吸収量は、酸化状態と還元状態とで異なることが知られている。したがって、受光した反射波の大きさから酸化ヘモグロビンの割合を計算することができる。これは、血中酸素飽和度（ＳｐＯ２）と呼ばれている。
【０１００】
ここで、グランド電極２８０は、生体１００の耳等に取り付けられて、生体１００の基準電位を取得可能になる。これにより、電極シート２００は、基準電位に対する生体信号を取得することができる。
【０１０１】
以上説明した変形例１の電極シート２００によれば、以下のような効果を奏する。
【０１０２】
（ｖ１）電極シート２００は、シート状のフレキシブル基板２１０と、フレキシブル基板２１０上に配置され、生体１００の生体信号を取得する生体信号取得部２６０と、を備える。そして、生体信号取得部２６０は、フレキシブル基板２１０に配置された生体信号を電気的に取得可能な電気信号取得部２２２と、フレキシブル基板２１０に配置され、生体１００に対して光を照射することにより、照射した光に基づいて得られた生体信号を取得する複数の光信号取得部２５０と、を備える。これにより、生体１００の凹凸に応じて湾曲する電極シート２００を提供することができる。そして、電気信号取得部２２２により、脳波等を電気的な生体信号として取得しつつ、経皮的動脈血酸素飽和度（ＳｐＯ２）等を光学的な生体信号として取得できる。このように、複数の生体信号を同時に取得可能な電極シート２００を簡易な構造で提供することができる。
【０１０３】
（ｖ２）電気信号取得部２２２は、フレキシブル基板２１０の一面を直線Ｙで２分割した一方の領域に配置される。光信号取得部２５０は、他方の領域に配置される。これにより、電気信号取得部２２２及び光信号取得部２５０のそれぞれを、生体１００の測定位置に位置合わせしやすくすることができる。
【０１０４】
（ｖ３）電気信号取得部２２２は、フレキシブル基板２１０の面に沿って所定の方向に並べられた複数の電極２２０，２２０，・・・を備える。また、光信号取得部２５０は、複数の電極２２０，２２０，・・・の配列方向と略同方向に並べられた複数の光学素子２３０，２３０，・・・を備える。これにより、生体１００の測定位置に、所定方向に並べられた複数の電極２２０，２２０，・・・及び光学素子２３０，２３０，・・・が接触するので、生体信号をより確実に取得することができる。
【０１０５】
（ｖ４）複数の電極２２０，２２０，・・・は、フレキシブル基板２１０の一面を２分割して２つの領域を形成する直線Ｙと略平行に並べられる。これにより、電気信号取得部２２２及び光信号取得部２５０のそれぞれの領域の延びる方向が複数の電極２２０，２２０，・・・及び複数の光学素子２３０，２３０，・・・の並びに揃うので、生体１００に対する両者の位置決めを容易にすることができる。
【０１０６】
（ｖ５）光信号取得部２５０は、フレキシブル基板２１０より硬い材料により形成され、光学素子２３０に接触しつつ光学素子２３０を囲う保護層２４０をさらに備える。これにより、フレキシブル基板２１０の湾曲に起因して、光学素子２３０に加えられるひずみを保護層２４０により軽減することができる。したがって、光学素子２３０をひずみから保護することができる。
（ｖ６）保護層２４０は、光学素子２３０に接触する硬質層２４１と、硬質層２４１よりもヤング率の低い材料で形成され、硬質層２４１に隣接する軟質層２４２と、を備える。これにより、光学素子２３０に加えられるひずみを、硬質層２４１及び軟質層２４２によって軽減することができるので、光学素子２３０をよりひずみから保護することができる。
【０１０７】
（ｖ７）電極シート２００は、電気信号取得部２２２及び光信号取得部２５０を生体１００の測定位置に接触させるために、生体１００の所定の位置に位置合わせ可能な標示部３００をさらに備える。これにより、標示部３００を生体１００の所定の位置に位置合わせすることで、電気信号取得部２２２及び光信号取得部２５０を生体１００の測定位置に接触させることができる。したがって、電極シート２００の扱いをより容易にすることができる。また、生体信号を取得可能な位置により近い場所に電極２２０及び光学素子２３０を接触させることができるので、標示部３００を設けない場合に比べ、電極２２０及び光学素子２３０の数を減らすことができ、電極シート２００の製造コストを低下させることができる。
【０１０８】
（ｖ８）電極シートモジュールは、電極シート２００と、フレキシブル基板２１０に接続され、生体信号取得部２６０で取得した生体信号を無線により送出可能な無線機器と、を備える。これにより、有線機器を使用して生体信号を送出する場合に比べて、簡易で自由度の高い生体信号の測定が可能となる。また、Ｓ／Ｎ（生体信号対雑音比）が改善し得る。
【０１０９】
［変形例２］
次に、変形例２に係る電極シート２００について、図１４を参照して説明する。変形例２の説明にあたって、同一構成要件については同一符号を付し、その説明を省略もしくは簡略化する。
変形例２に係る電極シート２００は、発光部２３２Ａが、ＯＬＥＤに代えて、ｉＯＬＥＤ（逆有機ＥＬダイオード）である点で変形例１と異なる。
【０１１０】
発光部２３２Ａは、発光部２３２と同様に、複数の層を備える。また、発光部２３２Ａは、図１４に示すように、発光部２３２と同様に、陰極２９６と、電子注入性金属酸化物層２９５Ａ１と、電子注入性有機バッファ層２９５Ａ２と、発光層２９４と、正孔輸送層２９３と、正孔注入層２９２と、陽極２９１と、を備える。発光部２３２Ａの各層は、発光部２３２とは逆の順に積層される。発光部２３２Ａは、発光部２３２とは逆に、陽極２９１から陰極２９６に向かう方向に沿って外部に光を照射する。
【０１１１】
次に、発光部２３２Ａの作製方法が以下に説明される。なお、以下の作製方法において、バッファ層の平均厚さを触針式段差計（製品名「アルファステップＩＱ」、ＫＬＡテンコール社製）を用いて測定した。
［１］市販されている平均厚さ０．１ｍｍのＩＴＯ電極層付きＰＥＴ基板を用意した。この時、基板のＩＴＯ電極（陰極２９６）は幅１ｍｍにパターニングされているものを用いた。この基板をイソプロパノール中でそれぞれ１０分間超音波洗浄した。この基板をイソプロパノール中から取り出し、窒素ブローにより乾燥させ、ＵＶオゾン洗浄を２０分行った。
［２］この基板を、亜鉛金属ターゲットを持つミラトロンスパッタ装置の基板ホルダーに固定した。約１×１０−４Ｐａまで減圧した後、アルゴンと酸素を導入した状態でスパッタし、膜厚約２ｎｍの酸化亜鉛層を作成した。この時にメタルマスクを併用して、電極取り出しのためＩＴＯ電極の一部は酸化亜鉛が成膜されないようにした。
［３］酢酸マグネシウムの１％水−エタノール（体積比で１：３）混合溶液を作成した。工程［２］で作成した基板を、工程［１］と同様にして再度洗浄した。洗浄した酸化亜鉛薄膜付き基板をスピンコーターにセットした。この基板上に酢酸マグネシウム溶液を滴下し、毎分１３００回転で６０秒間回転させた。これを大気中、１００℃にセットしたホットプレートで２時間焼成することにより、酸化亜鉛／酸化マグネシウム層（電子注入性金属酸化物層２９５Ａ１）を形成した。
［４］市販の日本触媒社製ポリエチレンイミンＳＰ−２００のエタノール溶液を作製した。この時、ポリエチレンイミンの濃度は０．４％とした。上記工程［３］で作製した基板をスピンコーターにセットした。上記工程［３］で形成した層の上にポリエチレンイミンエタノール溶液を滴下し、毎分２，０００回転で３０秒間回転させ、電子注入性金属酸化物層２９５Ａ１の上に電子注入性有機バッファ層２９５Ａ２を形成した。電子注入性有機バッファ層２９５Ａ２の平均厚さは１０ｎｍであった。電子注入性有機バッファ層２９５Ａ２の平均厚さは、触針式段差計により測定した。
［５］工程［４］までで形成した基板を真空蒸着装置の基板ホルダーに固定した。４，４’−ビス［９−ジカルバゾリル］−２，２’−ビフェニル（ＣＢＰ）、イリジウムトリス（１−フェニルイソキノリン）（Ｉｒ（ｐｉｑ）３）、Ｎ，Ｎ’−ジ（１−ナフチル）−Ｎ，Ｎ’−ジフェニル−１，１’−ビフェニル−４，４’−ジアミン（α−ＮＰＤ）をそれぞれアルミナルツボに入れて蒸着源にセットした。真空蒸着装置内を約１×１０−５Ｐａまで減圧し、ＣＢＰをホスト、Ｉｒ（ｐｉｑ）３をドーパントとして３５ｎｍ共蒸着し、発光層２９４を成膜した。この時、ドープ濃度はＩｒ（ｐｉｑ）３が発光層２９４全体に対して６重量％となるようにした。次に、α−ＮＰＤを６０ｎｍ蒸着し、正孔輸送層２９３を成膜した。次に、一度窒素パージした後、三酸化モリブデン、金をアルミナルツボに入れて蒸着源にセットした。真空蒸着装置内を約１×１０−５Ｐａまで減圧し、三酸化モリブデン（正孔注入層２９２）を膜厚１０ｎｍになるように蒸着した。次に、金（陽極２９１）を膜厚５０ｎｍになるように蒸着し、有機電界発光素子１を作製した。金を蒸着する時、ステンレス製の蒸着マスクを用いて蒸着面が幅１ｍｍの帯状になるようにした。即ち、作製した有機電界発光素子の発光面積は、１ｍｍ２とした。
【０１１２】
以上説明した変形例２の電極シート２００によれば、上記（ｖ１）〜（ｖ８）の効果に加え、以下のような効果を奏する。
（ｖ９）発光部２３２ＡはｉＯＬＥＤで構成される。これにより、発光部２３２Ａは、ＯＬＥＤで構成されるよりも高い大気安定性をもつことができ、安定した測定が実現できる。
【０１１３】
［変形例３］
次に、変形例３に係る電極シート２００について、図１５を参照して説明する。変形例３の説明にあたって、同一構成要件については同一符号を付し、その説明を省略もしくは簡略化する。
変形例３に係る電極シート２００は、図１５に示すように、生体１００に貼付される側の面に粘着層３１０を備える点で変形例１及び変形例２と異なる。
【０１１４】
粘着層３１０は、生体１００に貼付される側の面に露出して配置される。即ち、粘着層３１０は、生体信号を取得する生体１００に接触可能に構成される。粘着層３１０は、生体１００に接触することで、複数の電極２２０，２２０，・・・及び複数の光学素子２３０，２３０，・・・を生体１００に固定する。粘着層３１０は、第１粘着層３１１と、第２粘着層３１２と、を備える。
【０１１５】
第１粘着層３１１は、複数の電極２２０，２２０，・・・のそれぞれの露出面に重ねて配置される。第１粘着層３１１は、生体１００と接触することで、生体信号を電極２２０へ伝達する。第１粘着層３１１は、例えば、アクリル系ゲル、ウレタン系ゲル、シリコーン系ゲル等のゲルを主剤とすることが好ましい。第１粘着層３１１には、生体信号を取得するために、塩化ナトリウム、塩化カリウム等の電解質塩を含む。具体的には、積水化成品株式会社製「テクノゲル  ＨＩＴ」「テクノゲル  ＣＲ」「テクノゲル  Ｇ」等が挙げられる。第１粘着層３１１を電極２２０上に配置する方法としては、ゲルを塗工、印刷する方法や、シート状のゲルを電極の形状に切り抜いたものを貼付する方法等が挙げられる。
【０１１６】
第２粘着層３１２は、直線Ｙで区切られた他方の領域に配置される。具体的には、第２粘着層３１２は、直線Ｙで区切られた他方の領域の接触層２１２の露出面に重ねて配置される。第２粘着層３１２は、接触層２１２の露出面のみに配置され、光学素子２３０に重ならないことが好ましい。これにより、第２粘着層３１２が光学素子２３０から照射される光を遮らないので光信号を精度よく取得することが可能になる。また、より好適には、第２粘着層３１２は、接触層２１２の露出面の一部に配置される。これにより、第２粘着層３１２を生体１００に貼付することによる蒸れを抑制することができ、光学素子及び生体１００の間に汗等の異物が入り込むことを抑制できる。第２粘着層３１２には、例えばアクリル、ウレタン系、シリコーン系の生体貼付用両面テープ「Ｎｏ．９８７４」、「Ｎｏ．１５２２」、「Ｎｏ．１５１３」等を採用することができる。なお、第２粘着層３１２に加え、フレキシブル基板２１０の厚さ方向に貫かれた穴（図示せず）を設けることで、蒸れを抑制するようにしてもよい。また、第２粘着層３１２は、直線Ｙに沿って、間隔をあけて複数配置されてもよい。これにより、第２粘着層３１２が配置されていない部分を通気孔として、蒸れを抑制することができる。
【０１１７】
以上説明した変形例３の電極シート２００によれば、上記（ｖ１）〜（ｖ９）の効果に加え、以下のような効果を奏する。
（ｖ１０）電極シート２００は、複数の電極２２０，２２０，・・・及び複数の光学素子２３０，２３０，・・・を生体１００に固定する粘着層３１０をさらに備える。これにより、生体１００に複数の電極２２０，２２０，・・・及び複数の光学素子２３０，２３０，・・・を固定することができ、生体信号を好適に取得できる。
【０１１８】
（ｖ１１）粘着層３１０は、第１粘着層３１１と、第２粘着層３１２と、を備える。第２粘着層３１２は、光学素子２３０に重ならないように配置される。これにより、第２粘着層３１２が光学素子２３０から照射される光を遮らないので、生体信号を好適に取得することができる。
【０１１９】
（ｖ１２）第２粘着層３１２は、接触層２１２の露出面の一部に配置される。第２粘着層３１２を生体１００に貼付することによる蒸れを抑制することができ、光学素子２３０及び生体１００の間に汗等の異物が入り込むことを抑制できる。従って、生体信号を好適に取得することができる。
【０１２０】
［変形例４］
次に、変形例４に係る電極シート２００について、図１６〜図２３を参照して説明する。変形例４の説明にあたって、同一構成要件については同一符号を付し、その説明を省略もしくは簡略化する。なお、図２２及び図２３では、光信号取得部２５０について、簡便のため、受光部２３１が省略して示されている。
変形例４に係る電極シート２００は、フレキシブル基板２１０が基準層２１１によって形成され、接触層２１２を備えない点で変形例１〜変形例３と異なる。また、変形例４に係る電極シート２００は、基準層２１１が第１基準層３６１と、第２基準層３６２と、を備える点で変形例１〜変形例３と異なる。また、変形例４に係る電極シート２００は、被覆層２４３Ｃを備える点で変形例１〜変形例３と異なる。また、変形例４に係る電極シート２００は、光信号取得部２５０に光学素子用配線３５１が形成される点や、接触層２１２に代えて被覆層２４３Ｃを備える点等で変形例１〜変形例３と異なる。そして、変形例４に係る電極シート２００は、光信号取得部２５０が、基準層２１１の露出面上に配置される点等で変形例１〜変形例３と異なる。
【０１２１】
第１基準層３６１は、例えば、ポリウレタンで形成される。第１基準層３６１は、直線Ｙで区切られた一方の領域に配置される。即ち、第１基準層３６１は、電気信号取得部２２２が配置される領域に配置される。第１基準層３６１の一方の面上には、複数の電極２２０，２２０，・・・が配置される。複数の電極２２０，２２０，・・・の表面には、第１粘着層３１１が配置される。また、第１基準層３６１の一方の面上には、光学素子用配線３５１の一部が配置される。
【０１２２】
第２基準層３６２は、光透過性をもつ材料で形成される。第２基準層３６２は、第１基準層３６１と同様に、例えば、ポリウレタンで形成される。第２基準層３６２は、生体信号取得領域２１０Ａの全体に渡り配置される。即ち、第２基準層３６２は、電気信号取得部２２２及び光信号取得部２５０が配置される領域に配置される。換言すると、第２基準層３６２は、第１基準層３６１と重なって配置される。また、第２基準層３６２の面のうち、第１基準層３６１に重なる一方の面上には、光学素子用配線３５１の他部が配置される。具体的には、第２基準層３６２の一方の面上には、光学素子用配線３５１の他部に接続された光学素子１５が配置される。また、第２基準層３６２には、厚さ方向に貫通する複数の挿通孔３７０が形成される。そして、第２基準層３６２の他方の面上には、第２粘着層３１２が配置される。第１基準層３６１及び第２基準層３６２は、一部が重ねて配置される。
挿通孔３７０は、第２基準層３６２の面内方向において複数の電極２２０，２２０，・・・の配置位置に合わせて形成され、配置される。挿通孔３７０のそれぞれは、一方の面側の開口に挿入された電極２２０を他方の面側の開口から露出する。
【０１２３】
光信号取得部２５０は、フレキシブル基板２１０の露出面上に配置される。光信号取得部２５０は、保護層２４０Ｃを備える。保護層２４０Ｃは、硬質層２４１Ｃと、軟質層２４２Ｃと、を備える。
【０１２４】
硬質層２４１Ｃは、ドーム状に形成される。硬質層２４１Ｃは、発光部２３２及び受光部２３１のそれぞれを被覆するように配置される。即ち、硬質層２４１Ｃは、発光部２３２及び受光部２３１のそれぞれに重ねて配置される。
【０１２５】
軟質層２４２Ｃは、ドーム状に形成される。軟質層２４２Ｃは、硬質層２４１Ｃを被覆するように配置される。即ち、軟質層２４２Ｃは、硬質層２４１Ｃに重ねて配置される。
【０１２６】
被覆層２４３Ｃは、発光部２３２及び受光部２３１を一体化するように、発光部２３２及び受光部２３１のそれぞれを被覆する軟質層２４２Ｃに跨って被覆するように配置される。被覆層２４３Ｃは、軟質層２４２Ｃよりも軟質であることが望ましい。被覆層２４３Ｃは、例えば、ウレタンアクリレートを用いて形成される。被覆層２４３Ｃは、例えば、シート状に形成される。
【０１２７】
光信号取得部２５０等は、以下のように作製される。
図１６に示すように、例えばガラス製の支持板３２０の一面上に犠牲層３３０が形成される。さらに、犠牲層３３０の上には、ＰＥＮ（ポリエチレンナフタレート）又はＰＥＴ（ポリエチレンテレフタラート）の層３４０が形成される。ＰＥＮ（又はＰＥＴ）の層３４０の上には、発光部２３２及び受光部２３１が並べて形成される。なお、本実施形態において、発光部２３２及び受光部２３１は、１０μｍの厚さのＰＥＴで形成された密着層２０７により、外周面が被覆される。
【０１２８】
次いで、図１７に示すように、ＰＥＮ（又はＰＥＴ）層３４０のうち、発光部２３２及び受光部２３１とは重ならない部分がレーザにより剥離される。この際、図には示していないが、ＰＥＮ（又はＰＥＴ）層３４０上にある上部電極および下部電極の取り出しを犠牲層３３０上にくるように印刷により形成しておく。次いで、図１８に示すように、発光部２３２及び受光部２３１を覆うように、ドーム状の硬質層２４１Ｃが形成される。また、硬質層２４１Ｃを覆うようにドーム状の軟質層２４２Ｃが形成される。そして、軟質層２４２Ｃを覆うように被覆層２４３Ｃが形成される。その後、支持板３２０が除去されることで、光信号取得部２５０等が形成される。
【０１２９】
次に、作製した光信号取得部２５０等を用いた電極シート２００の作製方法が以下に説明される。
図１９に示すように、第１基準層３６１の一方の面上に、光学素子用配線３５１の一部と、複数の電極２２０とが印刷により形成される。また、第２基準層３６２の一方の面に、光学素子用配線３５１の他部が形成される。そして、第２基準層３６２の他方の面に、第２粘着層３１２が形成される。
【０１３０】
次いで、図２０に示すように、第１基準層３６１が、第２基準層３６２に重ね合わされる。具体的には、第１基準層３６１の一面が、第２基準層３６２の一面に対向した状態で重ね合わされる。また、第１基準層３６１の一面上に形成された電極２２０が、第２基準層３６２に形成された挿通孔３７０に位置合わせして挿入される。これにより、第１基準層３６１の一面上に形成された光学素子用配線３５１の一部が、第２基準層３６２の一面上に形成された光学素子用配線３５１の他部に重ね合わされる。即ち、光学素子用配線３５１は、第１基準層３６１と第２基準層３６２との間で厚さ方向に挟持される。そして、第１基準層３６１は、第２基準層３６２と熱圧着される。これにより、第１基準層３６１は、図２１に示すように、第２基準層３６２と一体化される。
【０１３１】
次いで、光信号取得部２５０の発光部２３２及び受光部２３１が、図２２に示すように、第２基準層３６２の一方の面上に形成される他方の光学素子用配線３５１の上に位置合わせされる。そして、光信号取得部２５０及び被覆層２４３Ｃは、一体化された第１基準層３６１及び第２基準層３６２に重ね合わされる。その上で、光信号取得部２５０は、第１基準層３６１及び第２基準層３６２と熱圧着される。これにより、光信号取得部２５０は、図２３に示すように、第１基準層３６１及び第２基準層３６２と一体化される。
【０１３２】
以上説明した変形例４の電極シート２００によれば、上記（ｖ１）〜（ｖ１２）の効果に加え、以下のような効果を奏する。
（ｖ１３）光信号取得部２５０は、基準層２１１の露出する側の面上に配置される。これにより、光信号取得部２５０が生体１００の汗等に影響を受けることがない。従って、電極シート２００の安定性を高めることができる。
【０１３３】
（ｖ１３）基準層２１１は、第１基準層３６１と、第２基準層３６２と、を備える。また、光学素子用配線３５１が、重ね合わされた第１基準層３６１及び第２基準層３６２の間に形成される。これにより、光学素子用配線３５１を容易に形成することができる。
【０１３４】
［変形例５］
次に、変形例５に係る電極シート２００について、図２４〜図２６を参照して説明する。変形例５の説明にあたって、同一構成要件については同一符号を付し、その説明を省略もしくは簡略化する。
変形例５に係る電極シート２００は、光信号取得部２５０の上に光学素子用配線３５１及び電極２２０が形成される点で変形例４と異なる。
【０１３５】
光学素子用配線３５１及び電極２２０は、図２４及び図２５に示すように、被覆層２４３Ｃの一方の面上に印刷により形成される。具体的には、光学素子用配線３５１は、発光部２３２及び受光部２３１に接続されるように、被覆層２４３Ｃの一方の面上に印刷により形成される。次いで、第１粘着層３１１は、図２６に示すように、電極２２０の露出面上に印刷により形成される。また、第２基準層３６２は、被覆層２４３Ｃの一方の面上及び光学素子用配線３５１の面上に亘り、重ねて配置される。即ち、第２基準層３６２は、電極２２０の位置を除いて、被覆層２４３Ｃ及び光学素子用配線３５１に重ねて配置される。そして、第２基準層３６２の一方の面上には、第２粘着層３１２が配置される。
【０１３６】
以上説明した変形例５の電極シート２００によれば、上記（ｖ１４）の効果に加え、以下のような効果を奏する。
（ｖ１５）光学素子用配線３５１及び電極２２０は、光信号取得部１９の被覆層２４３Ｃ上に形成される。これにより、光学素子用配線３５１及び電極２２０を容易に形成することができる。
【０１３７】
以上、電極シート２００の好ましい各変形例につき説明したが、上述の変形例に制限されるものではなく、適宜変更が可能である。
例えば、上記各変形例では、標示部３００を鼻の筋に沿って形成される直線状の線としたが、これに限定されない。例えば、フレキシブル基板２１０の一面を２分割する直線Ｙを標示部３００として含んでもよい。なお、フレキシブル基板２１０を透過性の高い材質とすることで電極２２０や光学素子２３０を標示部３００とすることも考えられるが、フレキシブル基板２１０が伸縮性及び柔軟性をもつことから別途標示部３００を設けることが好ましい。
【０１３８】
また、上記各変形例において、複数の電極２２０，２２０，・・・及び複数の光学素子２３０，２３０，・・・は、所定の方向に揃えて並べられるとした。これに加え、複数の電極２２０，２２０，・・・のそれぞれと、複数の電極２２０，２２０，・・・のそれぞれとが、並べられる所定の方向に交差する方向に重なる位置に並べられてもよい。換言すると、複数の電極２２０，２２０，・・・のそれぞれと、複数の光学素子２３０，２３０，・・・のそれぞれとが、一対となるような配置に設けられていてもよい。これにより、電気的な生体信号と、光学的な生体信号をより近い位置で取得することができる可能性が高くなるので、生体信号の解析精度を高めることができる。なお、各変形例では、７つの電極２２０に対して、対応する７つの光学素子２３０を設けることが考えられるが、これに限定されない。例えば、２つの電極２２０に対して対応する１つの光学素子２３０を設けることや、３つの電極２２０に対して１つの光学素子２３０を設けること、逆に、１つの電極２２０に対して２つ又は３つの光学素子２３０を設けることが考えられる。したがって、電極２２０の数と光学素子２３０の数との比については適宜選択されてよい。
【０１３９】
また、電気信号取得部２２２は、フレキシブル基板２１０上に１つだけ配置され、光信号取得部２５０は、フレキシブル基板２１０上に複数配置されてもよい。この場合、一対の発光部２３２及び受光部２３１が、フレキシブル基板２１０上に複数は位置されることになるため、少なくとも、光学的に取得された生体信号の解析精度が高まる。また、光信号取得部２５０は、フレキシブル基板上に、３つ以上配置することが好ましく、５つ以上配置することがより好ましく、８つ以上配置することが特に好ましい。
【０１４０】
また、電気信号取得部２２２は、フレキシブル基板２１０の一面を直線Ｙで２分割した一方の領域に配置されるとした。また、光信号取得部２５０は、他方の領域に配置されるとした。しかし、これに限定されない。光信号取得部２５０は、一方の領域及び他方の領域のいずれにも配置されることも可能である。
【０１４１】
また、上記各変形例において、軟質層２４２は１つのヤング率をもつとして説明されたが、これに限定されない。例えば、軟質層２４２は、ヤング率の異なる複数の層を重ねて形成されてもよい。このような軟質層２４２は、貫通孔２１３の内壁から硬質層２４１に近づくにつれて、ヤング率が高くなるよう（硬質グラデーション構造）に形成されているのが好ましい。
【０１４２】
また、上記各変形例に係る電極シート２００は、複数の光学素子２３０，２３０，・・・を設けられてもよい。そして、生体信号測定装置１は、複数の光学素子２３０，２３０，・・・から最も強い生体信号を出力する光学素子２３０がスキャンすることにより、生体信号の取得に最適な光学素子２３０を選択してもよい。
【０１４３】
また、上記変形例に係る電極シート２００の光信号取得部２５０は、１つの発光部２３２に対して１つの受光部２３１を備える。しかしながら、本発明は、上記実施形態に限定されない。具体的には、光信号取得部２５０は、図２７に示すように、１つの発光部２３２に対して複数の受光部２３１を備えてもよい。例えば、光信号取得部２５０は、１つの発光部２３２に対して矩形に配置された４つの受光部２３１を備えてもよい。これにより、受光できる領域が広がるので、生体信号をより容易に取得することができる。
【０１４４】
また、上記各変形例に係る電極シート２００によって取得された生体信号は、生体信号測定装置１において、図２８に示すような流れで解析される。
まず、電極シート２００で取得された生体信号は、生体信号測定装置１に送信される。生体信号測定装置１には、生体信号が入力され、生体信号が表示される（ステップＳ３１）。次いで、生体信号測定装置１は、パラメータチェックを実行する（ステップＳ３２）。生体信号測定装置１は、パラメータチェックとして、例えば、入力時間範囲、振幅オプション選択、フィルタバンド幅選択等のパラメータチェックを実行する。
【０１４５】
次いで、生体信号測定装置１は、生体信号からノイズを除去する（ステップＳ３３）。生体信号測定装置１は、例えば、ソフトウェアベースの０．３〜５Ｈｚバンドパスフィルタを用いて、光電脈波（ＰＰＧ）信号をフィルタすることでノイズを除去する。次いで、生体信号測定装置１は、振幅のハイピーク及びローピークを検出する（ステップＳ３４）。生体信号測定装置１は、検出したローピーク及びハイピークを表示する。
【０１４６】
次いで、生体信号測定装置１は、平均振幅と心拍レートとを表示する（ステップＳ３５）。次いで、生体信号測定装置１は、表示された生体信号の情報を記録する（ステップＳ３６）。
【符号の説明】
【０１４７】
１  生体信号測定装置
２０  生体情報取得部
２１  脳波取得部
２２  飽和度取得部
２３  生体情報管理部
３０  睡眠検知部
４０  時間特定部
４１  検出部
４２  時間取得部
５０  脳波特定部
９０  測定部
１００  生体
【図１】
2018164725.tif 000003
【図２】
2018164725.tif 000004
【図３】
2018164725.tif 000005
【図４】
2018164725.tif 000006
【図５】
2018164725.tif 000007
【図６】
2018164725.tif 000008
【図７】
2018164725.tif 000009
【図８】
2018164725.tif 000010
【図９】
2018164725.tif 000011
【図１０】
2018164725.tif 000012
【図１１】
2018164725.tif 000013
【図１２】
2018164725.tif 000014
【図１３】
2018164725.tif 000015
【図１４】
2018164725.tif 000016
【図１５】
2018164725.tif 000017
【図１６】
2018164725.tif 000018
【図１７】
2018164725.tif 000019
【図１８】
2018164725.tif 000020
【図１９】
2018164725.tif 000021
【図２０】
2018164725.tif 000022
【図２１】
2018164725.tif 000023
【図２２】
2018164725.tif 000024
【図２３】
2018164725.tif 000025
【図２４】
2018164725.tif 000026
【図２５】
2018164725.tif 000027
【図２６】
2018164725.tif 000028
【図２７】
2018164725.tif 000029
【図２８】
2018164725.tif 000030